【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
無線ネットワークの１つまたは複数のノードのための、フレームシーケンス（３０１）中におけるアップリンク通信期間および／またはダウンリンク通信期間を特定するスケジュールを含む、フレーム（２００、４０２）を送信することを含む、装置（７００）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信だけがスケジュールされる１つまたは複数のノード（ＰＳＴＡ１）は、前記ダウンリンク通信期間（４０４）の開始時またはほぼ開始時にダウンリンク通信（４１０）を行うようにスケジュールする。
【請求項２】
前記フレームシーケンスにおいてダウンリンク通信だけがスケジュールされる前記ノード（ＰＳＴＡ１）のうちの１つは、前記フレーム（４０２）の受信直後にダウンリンク通信（４１０）を行うようにスケジュールされる、請求項１に記載の方法。
【請求項３】
前記フレームシーケンスにおいて、アップリンク通信だけがスケジュールされる１つまたは複数のノード（ＰＳＴＡ２）は、前記アップリンク通信期間の終了時またはほぼ終了時にアップリンク通信（４２０）を行うようにスケジュールされる、請求項１又は２に記載の方法。
【請求項４】
前記フレームシーケンスにおいてアップリンク通信だけがスケジュールされる前記ノード（ＰＳＴＡ２）のうちの１つは、前記アップリンク通信期間の終了時にアップリンク通信（４２０）を行うようにスケジュールされている、請求項３に記載の方法。
【請求項５】
無線ネットワークの１つまたは複数のノードのために、フレームシーケンス（３０１）中におけるアップリンク通信期間および／またはダウンリンク通信期間を特定するスケジュールを含む、フレーム（２００、４０２）を送信することを含む、装置（７００）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信（４２８、４４０）およびアップリンク通信（４３２、４４０）の両方がスケジュールされた１つまたは複数のノード（ＰＳＴＡ３、ＰＳＴＡ４）は、ダウンリンクからアップリンクへの移行の際（３１７、４０８）に通信を行うようにスケジュールする。
【請求項６】
無線ネットワークの１つまたは複数のノードのために、フレームシーケンス（３０１）中におけるアップリンク通信期間および／またはダウンリンク通信期間を特定するスケジュールを含む、フレーム（２００、４０２）を送信することを含む、装置（７００）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、アップリンク通信だけがスケジュールされる１つまたは複数のノード（ＰＳＴＡ２）は、前記アップリンク通信期間の終了時またはほぼ終了時にアップリンク通信（４２０）を行うようにスケジュールする。
【請求項７】
無線ネットワークのまたは複数のノードのために、フレームシーケンス（３０１）中におけるアップリンク通信期間および／またはダウンリンク通信期間を特定するフレーム（２００、４０２）を送信することを含む、装置（７００）の動作方法。ただし前記フレームは、
前記フレームシーケンスにおいて、前記アップリンク通信期間（３１５、４０６）は、前記ダウンリンク通信期間（３１１、４０４）の後にスケジュールされ、
前記フレームシーケンスにおいて、ダウンリンク通信だけがスケジュールされる１つまたは複数のノード（ＰＳＴＡ１）は、前記ダウンリンク伝送（４０４）の開始時またはほぼ開始時にダウンリンク通信（４１０）を行うようにスケジュールされ、
前記フレームシーケンスにおいて、アップリンク通信だけがスケジュールされる１つまたは複数のノード（ＰＳＴＡ２）は、前記アップリンク通信期間の終了時またはほぼ終了時にアップリンク通信（４２０）を行うようにスケジュールされ、
前記フレームシーケンスにおいて、ダウンリンク通信（４２８、４４０）およびアップリンク通信（４３２、４４０）の両方がスケジュールされた１つまたは複数のノード（ＰＳＴＡ３、ＰＳＴＡ４）は、ダウンリンクからアップリンクへの移行の際（３１７、４０８）に伝送を行うようにスケジュールされていることを示す。
【請求項８】
前記フレームを前記送信することが、パワーセーブマルチポール（Power Save Multi Poll: PSMP）フレーム（２００、４０２）を送信することを含む、請求項１から７のいずれかに記載の方法。
【請求項９】
前記フレームを前記送信することが、IEEE 802.11nパワーセーブマルチポール（ＰＳＭＰ）フレーム（２００、４０２）を送信することを含む、請求項１から８のいずれかに記載の方法。
【請求項１０】
前記スケジュールされた通信期間に、１つ以上のダウンリンクデータフレームを１つ以上の無線ノードに送信することをさらに含む、請求項１から９のいずれかに記載の方法。
【請求項１１】
前記ダウンリンク通信期間は、ダウンリンク開始オフセット（２２７）および／またはダウンリンク通信持続時間（２２９）によって特定され、
前記アップリンク通信期間は、アップリンク開始オフセット（２３１）および／またはアップリンク通信持続期間（２３３）によって特定される、
請求項１から１０のいずれかに記載の方法。
【請求項１２】
無線ネットワークの１つまたは複数のノードのために、フレームシーケンス（３０１）中におけるアップリンク通信期間および／またはダウンリンク通信期間を特定するスケジュールを含む、フレーム（２００、４０２）を送信するように構成される、装置（７００）。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信だけがスケジュールされる１つまたは複数のノード（ＰＳＴＡ１）は、前記ダウンリンク通信期間（４０４）の開始時またはほぼ開始時にダウンリンク通信（４１０）を行うようにスケジュールする。
【請求項１３】
前記スケジュールは、前記フレームシーケンスにおいて、
アップリンク通信だけがスケジュールされる１つまたは複数のノード（ＰＳＴＡ２）は、前記アップリンク通信期間の終了時またはほぼ終了時にアップリンク通信（４２０）を行うようにスケジュールし、
ダウンリンク通信期間（４２８、４４０）およびアップリンク通信期間（４３２、４４０）の両方がスケジュールされる１つまたは複数のノード（ＰＳＴＡ３、ＰＳＴＡ４）は、ダウンリンクからアップリンクへの移行の際（３１７、４０８）に通信を行うようにスケジュールする、
請求項１２に記載の装置。
【請求項１４】
前記フレームを前記送信することが、IEEE 802.11nパワーセーブマルチポールフレームを送信することを含む、請求項１２又は１３に記載の装置。
【請求項１５】
記憶媒体を備える装置であって、プロセッサが前記記憶媒体内に格納される命令を実行したときに、
無線ネットワーク内の１つ以上のノードのためのアップリンク通信期間および／またはダウンリンク通信期間を特定するフレームを送信する（６１０）ように構成される、装置。ただし前記フレームは、
前記アップリンク通信期間は前記ダウンリンク通信期間の後にスケジュールされ、
ダウンリンク通信およびアップリンク通信の両方がスケジュールされる１つ以上のノードは、前記ダウンリンク通信期間から前記アップリンク通信期間への移行の際（３１７、４０８）に通信を行うようにスケジュールされている（６４０）ことを示す。
【請求項１６】
前記フレームは
ダウンリンク通信だけがスケジュールされる１つ又は複数のノードは、前記ダウンリンク通信の開始時またはほぼ開始時にダウンリンク通信を行うようにスケジュールされ、
アップリンク通信だけがスケジュールされる１つ又は複数のノードは、前記アップリンク通信の終了時またはほぼ終了時にスケジュールされている、
ことを示す請求項１５に記載の装置。
【請求項１７】
前記フレームを前記送信することが、IEEE 802.11nパワーセーブマルチポールフレームを送信することを含む、請求項１５又は１６に記載の装置。
【請求項１８】
請求項１から１１のいずれかに記載の方法と共に使用され、該方法の実行により送信された前記フレームを受信することを含む、装置の動作方法。
【請求項１９】
請求項１から１７のいずれかに記載の装置と共に動作し、該装置により送信された前記フレームを受信するように構成される、装置。
【請求項２０】
無線ネットワークの１つまたは複数のノードのための、フレームシーケンス（３０１）中におけるアップリンク通信期間および／またはダウンリンク通信期間を特定するスケジュールを含む、フレーム（２００、４０２）を受信することと；
前記スケジュールに従って、自身の通信スケジュールを設定することと；
を含む、装置（ＰＳＴＡ１）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信だけがスケジュールされる１つまたは複数のノードは、前記ダウンリンク通信期間（４０４）の開始時またはほぼ開始時にダウンリンク通信（４１０）を行うようにスケジュールする。
【請求項２１】
無線ネットワークの１つまたは複数のノードのために、フレームシーケンス（３０１）中におけるアップリンク通信期間および／またはダウンリンク通信期間を特定するスケジュールを含む、フレーム（２００、４０２）を受信することと；
前記スケジュールに従って、自身の通信スケジュールを設定することと；
を含む、装置（ＰＳＴＡ３、ＰＳＴＡ４）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信（４２８、４４０）およびアップリンク通信（４３２、４４０）の両方がスケジュールされた１つまたは複数のノードは、ダウンリンクからアップリンクへの移行の際（３１７、４０８）に通信を行うようにスケジュールする。
【請求項２２】
無線ネットワークの１つまたは複数のノードのために、フレームシーケンス（３０１）中におけるアップリンク通信期間および／またはダウンリンク通信期間を特定するスケジュールを含む、フレーム（２００、４０２）を受信することと；
前記スケジュールに従って、自身の通信スケジュールを設定することと；
を含む、装置（ＰＳＴＡ２）の動作方法。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、アップリンク通信だけがスケジュールされる１つまたは複数のノードは、前記アップリンク通信期間の終了時またはほぼ終了時にアップリンク通信（４２０）を行うようにスケジュールする。
【請求項２３】
無線ネットワークのまたは複数のノードのために、フレームシーケンス（３０１）中におけるアップリンク通信期間および／またはダウンリンク通信期間を特定するフレーム（２００、４０２）を受信することと；
前記フレームに含まれる情報に従って、自身の通信スケジュールを設定することと；
を含む、装置（ＰＳＴＡ１，ＰＳＴＡ２，ＰＳＴＡ３，ＰＳＴＡ４）の動作方法。ただし前記フレームは、
前記フレームシーケンスにおいて、前記アップリンク通信期間（３１５、４０６）は、前記ダウンリンク通信期間（３１１、４０４）の後にスケジュールされ、
前記フレームシーケンスにおいて、ダウンリンク通信だけがスケジュールされる１つまたは複数のノード（ＰＳＴＡ１）は、前記ダウンリンク伝送（４０４）の開始時またはほぼ開始時にダウンリンク通信（４１０）を行うようにスケジュールされ、
前記フレームシーケンスにおいて、アップリンク通信だけがスケジュールされる１つまたは複数のノード（ＰＳＴＡ２）は、前記アップリンク通信期間の終了時またはほぼ終了時にアップリンク通信（４２０）を行うようにスケジュールされ、
前記フレームシーケンスにおいて、ダウンリンク通信（４２８、４４０）およびアップリンク通信（４３２、４４０）の両方がスケジュールされた１つまたは複数のノード（ＰＳＴＡ３、ＰＳＴＡ４）は、ダウンリンクからアップリンクへの移行の際（３１７、４０８）に伝送を行うようにスケジュールされていることを示す。
【請求項２４】
無線ネットワークの１つまたは複数のノードのための、フレームシーケンス（３０１）中におけるアップリンク通信期間および／またはダウンリンク通信期間を特定するスケジュールを含む、フレーム（２００、４０２）を受信し；
前記スケジュールに従って、自身の通信スケジュールを設定する；
ように構成される、装置（ＰＳＴＡ１）。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信だけがスケジュールされる１つまたは複数のノードは、前記ダウンリンク通信期間（４０４）の開始時またはほぼ開始時にダウンリンク通信（４１０）を行うようにスケジュールする。
【請求項２５】
無線ネットワークの１つまたは複数のノードのために、フレームシーケンス（３０１）中におけるアップリンク通信期間および／またはダウンリンク通信期間を特定するスケジュールを含む、フレーム（２００、４０２）を受信することと；
前記スケジュールに従って、自身の通信スケジュールを設定することと；
ように構成される、装置（ＰＳＴＡ３、ＰＳＴＡ４）。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、ダウンリンク通信（４２８、４４０）およびアップリンク通信（４３２、４４０）の両方がスケジュールされた１つまたは複数のノードは、ダウンリンクからアップリンクへの移行の際（３１７、４０８）に通信を行うようにスケジュールする。
【請求項２６】
無線ネットワークの１つまたは複数のノードのために、フレームシーケンス（３０１）中におけるアップリンク通信期間および／またはダウンリンク通信期間を特定するスケジュールを含む、フレーム（２００、４０２）を受信し；
前記スケジュールに従って、自身の通信スケジュールを設定する；
ように構成される、装置（ＰＳＴＡ２）。ただし前記スケジュールは、
前記フレームシーケンスにおいて、前記アップリンク通信期間（３１５、４０６）を、前記ダウンリンク通信期間（３１１、４０４）の後にスケジュールし、
前記フレームシーケンスにおいて、アップリンク通信だけがスケジュールされる１つまたは複数のノードは、前記アップリンク通信期間の終了時またはほぼ終了時にアップリンク通信（４２０）を行うようにスケジュールする。
【請求項２７】
無線ネットワークのまたは複数のノードのために、フレームシーケンス（３０１）中におけるアップリンク通信期間および／またはダウンリンク通信期間を特定するフレーム（２００、４０２）を受信し；
前記フレームに含まれる情報に従って、自身の通信スケジュールを設定する；
ように構成される、装置（ＰＳＴＡ１，ＰＳＴＡ２，ＰＳＴＡ３，ＰＳＴＡ４）。ただし前記フレームは、
前記フレームシーケンスにおいて、前記アップリンク通信期間（３１５、４０６）は、前記ダウンリンク通信期間（３１１、４０４）の後にスケジュールされ、
前記フレームシーケンスにおいて、ダウンリンク通信だけがスケジュールされる１つまたは複数のノード（ＰＳＴＡ１）は、前記ダウンリンク伝送（４０４）の開始時またはほぼ開始時にダウンリンク通信（４１０）を行うようにスケジュールされ、
前記フレームシーケンスにおいて、アップリンク通信だけがスケジュールされる１つまたは複数のノード（ＰＳＴＡ２）は、前記アップリンク通信期間の終了時またはほぼ終了時にアップリンク通信（４２０）を行うようにスケジュールされ、
前記フレームシーケンスにおいて、ダウンリンク通信（４２８、４４０）およびアップリンク通信（４３２、４４０）の両方がスケジュールされた１つまたは複数のノード（ＰＳＴＡ３、ＰＳＴＡ４）は、ダウンリンクからアップリンクへの移行の際（３１７、４０８）に伝送を行うようにスケジュールされていることを示す。